(57)【要約】      （修正有）【課題】容器の透視により美しい視覚的外観を得ることができ、かつ、使用時の定置性に優れており、しかも、未使用時には重ね合わせてコンパクトに収納することができる台座付き飲用容器を提供する。【解決手段】透明な材料により逆錐状に形成された器体１と、この器体１を載置可能な支持台座２とから構成される。支持台座２の上面には支持凹部２１を開口し、この支持凹部２１の内周面形状を器体１の外周面形状と合致させて、かつ、支持凹部２１の内周面の表面には、模様を成形して、器体１の凸端部１１を下にして支持凹部２１内に載置したとき、器体１の容器部１２を透視して、模様を視認可能に構成する。【選択図】図１
0003160029.tif 000002
【実用新案登録請求の範囲】
【請求項１】
透明な材料により逆錐状に形成された器体１と、この器体１を載置可能な支持台座２とから構成される飲用容器であって、
前記支持台座２の上面には支持凹部21が開口している一方、この支持凹部21の内周面形状が前記器体１の外周面形状と合致しており、かつ、当該支持凹部21の内周面の表面には、模様21ａが成形されており、
前記器体１の凸端部11を下にして支持台座２の支持凹部21内に載置したとき、この器体１の容器部12を透視して、前記模様21ａを視認可能に構成したことを特徴とする台座付き飲用容器。
【請求項２】
支持台座２の支持凹部21における底面に孔部21ｂが成形されていることを特徴とする請求項１記載の台座付き飲用容器。
【請求項３】
器体１の形状が略円錐状であることを特徴とする請求項１または２記載の台座付き飲用容器。
【請求項４】
器体１がガラス製であって、凸端部11にガラス溜まり11ａが成形されており、かつ、内周底面が略球曲面状に成形されていることを特徴とする請求項１〜３の何れか一つに記載の台座付き飲用容器。
【考案の詳細な説明】
【技術分野】
【０００１】
本考案は、飲用容器の改良、更に詳しくは、容器の透視により美しい視覚的外観を得ることができ、かつ、使用時の定置性に優れた台座付き飲用容器に関するものである。
【背景技術】
【０００２】
周知のとおり、特に酒類等の飲料を飲用する際には、酒器としてお猪口やグラスなどの様々な容器（うつわ）を用いており、酒宴の場でも多く用いられることから、単なる容器的な機能だけでなく、装飾的な外観を醸し出したりして、工芸品的性格をも有している。
【０００３】
従来、特徴的な外観を有する飲用容器として、飲用する容器部分と台座部分とが分離できるように構成された容器が開示されている（例えば、特許文献１参照）。
【０００４】
しかしながら、かかる台座分離式の容器は、容器底面に設けた突出部を台座の上面に設けた窪みに嵌入させて固定しているため、位置決めが面倒であり、また、容器の安定性にも欠け、誤って容器が外れてしまい、この容器を破損してしまうおそれがある。
【先行技術文献】
【特許文献】
【０００５】
【特許文献１】特開２００６−１４３３１６号公報（第５−６頁、図１−９）
【考案の概要】
【考案が解決しようとする課題】
【０００６】
本考案は、従来の酒器等の飲用容器に上記のような問題があったことに鑑みて為されたものであり、その目的とするところは、容器の透視により美しい視覚的外観を得ることができ、かつ、使用時の定置性に優れた台座付き飲用容器を提供することにある。
【課題を解決するための手段】
【０００７】
本考案者が上記課題を解決するために採用した手段を添付図面を参照して説明すれば次のとおりである。
【０００８】
即ち、本考案は、透明な材料により逆錐状に形成された器体１と、この器体１を載置可能な支持台座２とから構成される飲用容器であって、
前記支持台座２の上面には支持凹部21を開口する一方、この支持凹部21の内周面形状を前記器体１の外周面形状と合致させて、かつ、当該支持凹部21の内周面の表面には、模様21ａを成形して、前記器体１の凸端部11を下にして支持台座２の支持凹部21内に載置したとき、この器体１の容器部12を透視して、前記模様21ａを視認可能に構成するという技術的手段を採用したことによって、台座付き飲用容器を完成させた。
【０００９】
また、本考案は、上記課題を解決するために、必要に応じて上記手段に加え、支持台座２の支持凹部21における底面に孔部21ｂを成形するという技術的手段を採用した。
【００１０】
更にまた、本考案は、上記課題を解決するために、必要に応じて上記手段に加え、器体１の形状を略円錐状にするという技術的手段を採用した。
【００１１】
更にまた、本考案は、上記課題を解決するために、必要に応じて上記手段に加え、器体１をガラス製にし、凸端部11にガラス溜まり11ａを成形して、かつ、内周底面を略球曲面状に成形するという技術的手段を採用した。
【考案の効果】
【００１２】
本考案にあっては、透明な材料により逆錐状に形成された器体と、この器体を載置可能な支持台座とから構成される飲用容器であって、前記支持台座の上面には支持凹部を開口させる一方、この支持凹部の内周面形状を前記器体の外周面形状と合致させて、かつ、当該支持凹部の内周面の表面には、模様を成形したことによって、
前記器体の凸端部を下にして支持台座の支持凹部内に載置したとき、この器体の容器部を透視して、前記模様を視認することができる。
【００１３】
したがって、本考案の飲用容器によれば、容器の透視により美しい視覚的外観を得ることができ、かつ、使用時の定置性に優れているため、安定的に使用することができる。
【００１４】
また、必要に応じて、器体の凸端部にガラス溜まりを成形することにより、上方から見たときに、レンズ効果によって光が屈折して、対面側に形成された模様が見えるようになり、面白みのある視覚演出効果を得ることができることから、実用的利用価値は頗る高いものがあると云える。
【図面の簡単な説明】
【００１５】
【図１】本考案の実施形態の飲用容器を表わす斜視図である。
【図２】本考案の実施形態の支持台座を表わす上面図である。
【図３】本考案の実施形態の飲用容器の使用状態を表わす斜視図である。
【図４】本考案の実施形態の飲用容器の使用状態を表わす上面図である。
【考案を実施するための形態】
【００１６】
本考案を実施するための形態を、具体的に図示した図面に基づいて更に詳細に説明すると、次のとおりである。
【００１７】
本考案の実施形態を図１から図４に基づいて説明する。図１中、符号１で指示するものは器体であり、符号２で指示するものは支持台座であって、これら器体１と支持台座２とから飲用容器を構成している。
【００１８】
まず、前記器体１を、透明な材料により逆錐状に形成する。本実施形態では、ガラス材料を使用し、吹きガラス法により成形する。また、飲み口縁が円形になるような略円錐状に成形するとともに、凸端部11にはガラス溜まり11ａを成形し、先端はやや丸くする。
【００１９】
更に、器体１の内周底面を略球曲面状に成形することができ、器体１を傾けて飲用する際の、飲料の流れを滑らかにすることができる。
【００２０】
また、図２に示すように、前記支持台座２は、前記器体１を載置するための器具であって、上面には支持凹部21が開口している。そして、この支持凹部21の内周面形状が前記器体１の外周面形状と合致した形状（曲面）にすることができる。
【００２１】
また、当該支持凹部21の内周面の表面には、模様21ａを成形する。本実施形態では、漆による蒔絵によって５枚の花びらが描かれている。
【００２２】
このように構成したことによって、前記器体１の凸端部11を下にして支持台座２の支持凹部21内に載置したとき、この器体１の容器部12を透視して、前記模様21ａを視認することができる（図３および図４参照）。
【００２３】
特に、日本酒などの無色透明な液体を注いで、屈折率を変化させて、支持凹部21の内周面や模様21ａの異なる視覚効果を得ることができるし、また、赤ワイン等を注いだ場合には、その液体の色を支持凹部21の内周面や模様21ａに加色するような視覚効果を得ることもできる。
【００２４】
なお、この器体１の凸端部11にガラス溜まり11ａを成形した場合には、上方から見たときに、レンズ効果によって光が屈折して、対面側に形成された模様21ａが見えるようになり、面白みのある視覚演出効果を得ることができる。
【００２５】
本実施形態では、支持台座２の支持凹部21における底面に孔部21ｂを成形することができ、器体１の結露を排出したり、あるいは密閉状態になって負圧で器体１が取り出し難くならないようにすることができる。
【００２６】
また、図示しないが、本実施形態では、必要に応じて、支持台座２の外周面をテーパ状に形成して、器体１の内周面を内接させて載置させることもでき、未使用時には、器体１をコンパクトに収納することもできる。
【００２７】
本考案は、概ね上記のように構成されるが、図示の実施形態に限定されるものでは決してなく、「実用新案登録請求の範囲」の記載内において種々の変更が可能であって、例えば、器体１の形状は略円錐状のものに限らず、多角形や楕円の錐状のものを採用することができ、その外周形状と合致した形状に応じて、支持台座２の支持凹部21の内周面形状を形成することができる。
【００２８】
また、器体１はガラス製に限らず、プラスチック製のものであっても良く、透視できるものであれば、透明または半透明のものを採用することができる。更にまた、模様21ａは様々な形状を採用することができるし、模様21ａの形成も蒔絵に限らず、印刷やシール貼付などの方法を使用することもでき、これら何れのものも本考案の技術的範囲に属する。
【符号の説明】
【００２９】
１    器体
11    凸端部
11ａ  ガラス溜まり
12    容器部
２    支持台座
21    支持凹部
21ａ  模様
21ｂ  孔部
【図１】
0003160029.tif 000003
【図２】
0003160029.tif 000004
【図３】
0003160029.tif 000005
【図４】
0003160029.tif 000006